(57)【要約】【課題】室内機のパネルの面積を小さくする。【解決手段】パネル（50）には、空調対象空間（5）に空気を供給する吹出口（51,52）が形成され、ケーシング本体（40a）には、空気が吸い込まれる吸込口（46,47）が形成され、吹出口（51,52）、送風機（32）、及び熱交換器（33）の各々の少なくとも一部が、互いに上下方向に重なっている。【選択図】図４
2020204421.tif 000002
【特許請求の範囲】
【請求項１】
ケーシング（40）と、前記ケーシング（40）の内部に配置される送風機（32）及び熱交換器（33）とを備えた空気調和装置用の天井埋込型の室内機であって、
前記ケーシング（40）は、
天井（C）の裏側空間（6）に配置され、下側が開放されるケーシング本体（40a）と、
前記ケーシング本体（40a）の下側の開放部に設けられ、空調対象空間（5）に露出するパネル（50）とを備え、
前記パネル（50）には、空調対象空間（5）に空気を供給する吹出口（51,52）が形成され、
前記ケーシング本体（40a）には、空気が吸い込まれる吸込口（46,47）が形成され、
前記吹出口（51,52）、前記送風機（32）、及び前記熱交換器（33）の各々の少なくとも一部が、互いに上下方向に重なっていることを特徴とする天井埋込型の室内機。
【請求項２】
請求項１において、
前記ケーシング（40）は、前記天井（C）に沿って延びる長辺と、該長辺よりも短い短辺と有することを特徴とする天井埋込型の室内機。
【請求項３】
請求項２において、
前記パネル（50）の下面の前記吹出口（51,52）を含む総面積をＳ１、前記吹出口（51,52）の総開口面積をＳ２とすると、
前記総開口面積Ｓ２は、前記総面積Ｓ１の２０％以上であることを特徴とする天井埋込型の室内機。
【請求項４】
請求項２又は３において、
前記送風機（32）は、前記ケーシング（40）の長手方向に延びるクロスフローファンであることを特徴とする天井埋込型の室内機。
【請求項５】
請求項１〜４のいずれか１つにおいて、
前記吸込口（46,47）は、前記ケーシング本体（40a）の少なくとも１つの側板（41,42）に形成されることを特徴とする天井埋込型の室内機。
【請求項６】
請求項５において、
前記吸込口（46,47）は、前記ケーシング本体（40a）の、互いに対向する２つの側板（41,42）にそれぞれに形成されることを特徴とする天井埋込型の室内機。
【請求項７】
請求項１〜６のいずれか１つにおいて、
前記熱交換器（33）は、
前記ケーシング本体（40a）の第１の側板（41）寄りに配置される第１熱交換部（33A）と、
前記ケーシング本体（40a）の前記第１の側板（41）に対向する第２の側板（42）寄りに配置される第２熱交換部（33B）とを有し、
前記第１熱交換部（33A）及び前記第２熱交換部（33B）は、下方に向かうにつれて互いの間隔が広がるようにそれぞれ傾斜して配置されることを特徴とする天井埋込型の室内機。
【請求項８】
請求項１〜７のいずれか１つにおいて、
前記吸込口（46,47）に吸い込まれる空気中の塵埃を補足するフィルタ（71,72）を備え、
前記パネル（50）には、前記フィルタ（71,72）をケーシング（40）の外部に引き出すスリット（54,55）が形成されることを特徴とする天井埋込型の室内機。
【請求項９】
室外機（20）と、
請求項１〜８のいずれか１つに記載の天井埋込型の室内機（30）を備えた空気調和装置。
【発明の詳細な説明】
【技術分野】
【０００１】
本開示は、天井埋込型の室内機、及び空気調和装置に関する。
【背景技術】
【０００２】
天井埋込型の室内機を備えた空気調和装置が知られている。
【０００３】
特許文献１の室内機は、天井裏に設置されるケーシングの内部に、熱交換器と送風機とが収容される。ケーシングの下面には、熱交換器を通過した空気を室内空間へ供給する吹出口が形成される。
【先行技術文献】
【特許文献】
【０００４】
【特許文献１】特開２０１０−１６４２９４号公報
【発明の概要】
【発明が解決しようとする課題】
【０００５】
天井埋込型の室内機では、ケーシングの下面に位置するパネルが室内空間に露出される。本開示の目的は、室内機のパネルの面積を小さくすることである。
【課題を解決するための手段】
【０００６】
第１の態様は、ケーシング（40）と、前記ケーシング（40）の内部に配置される送風機（32）及び熱交換器（33）とを備えた空気調和装置用の天井埋込型の室内機であって、前記ケーシング（40）は、天井（C）の裏側空間（6）に配置され、下側が開放されるケーシング本体（40a）と、前記ケーシング本体（40a）の下側の開放部に設けられ、空調対象空間（5）に露出するパネル（50）とを備え、前記パネル（50）には、空調対象空間（5）に空気を供給する吹出口（51,52）が形成され、前記ケーシング本体（40a）には、空気が吸い込まれる吸込口（46,47）が形成され、前記吹出口（51,52）、前記送風機（32）、及び前記熱交換器（33）の各々の少なくとも一部が、互いに上下方向に重なっている。
【０００７】
第１の態様では、吹出口（51,52）、送風機（32）、及び熱交換器（33）の各々の少なくとも一部の全てが上下に重なる。このため、ケーシング（40）を水平方向に縮小でき、ひいてはパネル（50）を水平方向に縮小できる。
【０００８】
第２の態様は、第１の態様において、前記ケーシング（40）は、前記天井（C）に沿って延びる長辺と、該長辺よりも短い短辺と有する。
【０００９】
第２の態様では、天井（C）に沿って延びるパネル（50）を形成できる。
【００１０】
第３の態様は、第２の態様において、前記パネル（50）の下面の前記吹出口（51,52）を含む総面積をＳ１、前記吹出口（51,52）の総開口面積をＳ２とすると、前記総開口面積Ｓ２は、前記総面積Ｓ１の２０％以上である。
【００１１】
第３の態様では、パネル（50）に対する吹出口（51,52）の開口面積が比較的大きくなる。
【００１２】
第４の態様は、第２又は第３の態様において、前記送風機（32）は、前記ケーシング（40）の長手方向に延びるクロスフローファンである。
【００１３】
第４の態様では、ケーシング（40）と送風機（32）とが同一方向に延びるため、ケーシング（40）内のデッドスペースを削減できる。
【００１４】
第５の態様は、第１〜４のいずれか１つの態様において、前記吸込口（46,47）は、前記ケーシング本体（40a）の少なくとも１つの側板（41,42）に形成される。
【００１５】
ここでいう「側板」とは、左右、前後の面を形成する板を意味し、上下の面を形成する板までは含まない意味である。
【００１６】
第５の態様では、ケーシング本体（40a）の上板に吸込口（46,47）形成せずとも、側板（41,42）に吸込口（46,47）を確保できる。
【００１７】
第６の態様は、第５の態様において、前記吸込口（46,47）は、前記ケーシング本体（40a）の、互いに対向する２つの側板（41,42）にそれぞれに形成される。
【００１８】
第６の態様では、ケーシング本体（40a）の両側の側板（41,42）にそれぞれ吸込口（46,47）を確保できる。
【００１９】
第７の態様は、第１〜第６のいずれか１つの態様において、前記熱交換器（33）は、前記ケーシング本体（40a）の第１の側板（41）寄りに配置される第１熱交換部（33A）と、前記ケーシング本体（40a）の前記第１の側板（41）に対向する第２の側板（42）寄りに配置される第２熱交換部（33B）とを有し、前記第１熱交換部（33A）及び前記第２熱交換部（33B）は、下方に向かうにつれて互いの間隔が広がるようにそれぞれ傾斜して配置される。
【００２０】
第７の態様では、各側板（41,42）の各吸込口（46,47）に対応するように熱交換部（33A,33B）を配置できる。熱交換部（33A,33B）を傾斜させることで、伝熱面積を拡大できる。
【００２１】
第８の態様は、第１〜第７のいずれか１つの態様において、吸込口（46,47）に吸い込まれる空気中の塵埃を補足するフィルタ（71,72）を備え、前記パネル（50）には、前記フィルタ（71,72）をケーシング（40）の外部に引き出すスリット（54,55）が形成される。
【００２２】
第８の態様では、パネル（50）をケーシング本体（40a）から外すことなく、フィルタ（71,72）の挿抜作業を行うことができる。
【００２３】
第９の態様は、室外機（20）と、第１〜８のいずれか１つの天井埋込型の室内機（30）を備えた空気調和装置である。
【図面の簡単な説明】
【００２４】
【図１】図１は、実施形態に係る空気調和装置の全体構成を示す配管系統図である。
【図２】図２は、システム天井の内部構造の一部を拡大した斜視図である。
【図３】図３は、システム天井の一部を室内空間側から見た斜視図である。
【図４】図４は、室内機の縦断面図である。
【図５】図５は、室内機の天井パネルの下面図である。
【図６】図６は、室内空間及び天井裏空間の空気の流れを示した、室内機の概略構成図である。
【図７】図７は、フィルタの一部が引き出されている状態を示す、図４に相当する図である。
【図８】図８は、変形例１に係る室内機の図６に相当する図である。
【図９】図９は、変形例２に係る室内機の内部構造を示す概略構成図である。
【発明を実施するための形態】
【００２５】
以下、本開示の実施形態について図面を参照しながら説明する。なお、以下の実施形態は、本質的に好ましい例示であって、本発明、その適用物、あるいはその用途の範囲を制限することを意図するものではない。
【００２６】
《実施形態》
〈空気調和装置の概要〉
実施形態の空気調和装置（10）は、空調対象空間（5）の空気の温度を調節する。空気調和装置（10）は、ビルなどに適用される。空調対象空間（5）は、室内空間である。空気調和装置（10）は、室外機（20）と、少なくとも１つの室内機（30）とを有する。本例の空気調和装置（10）は、複数の室内機（30）を有するいわゆるマルチ式に構成される。室内機（30）は、天井埋込型である。室外機（20）は室外に設置される。室内機（30）と室外機（20）とはガス連絡配管（12）及び液連絡配管（13）を介して互いに接続される。
【００２７】
〈冷媒回路の構成〉
図１に示すように、空気調和装置（10）は、冷媒回路（11）を備える。冷媒回路（11）には、冷媒が充填される。冷媒回路（11）では、冷媒が循環することで冷凍サイクルが行われる。室外機（20）は、室外回路（21）と室外ファン（22）とを有する。各室内機（30）は、室内回路（31）と室内ファン（32）とを有する。冷媒回路（11）は、室外回路（21）と、室内回路（31）と、これらを互いに接続する連絡配管（12,13）とを含む。
【００２８】
室外回路（21）は、圧縮機（23）、室外熱交換器（24）、室外膨張弁（25）、四方切換弁（26）を含む。圧縮機（23）は、冷媒を圧縮し、圧縮した冷媒を吐出する。室外熱交換器（24）は、室外ファン（22）が搬送する室外空気と冷媒とを熱交換させる。室外熱交換器（24）は、フィンアンドチューブ式である。室外膨張弁（25）は、冷媒を減圧する減圧機構である。室外膨張弁（25）は、例えば電子膨張弁である。
【００２９】
四方切換弁（26）は、第１冷凍サイクル（冷房サイクル）と第２冷凍サイクル（暖房サイクル）とを切り換えるための流路切換機構である。四方切換弁（26）は、第１状態（図１の実線で示す状態）と第２状態（図１の破線で示す状態）とに切り換わる。
【００３０】
各室内回路（31）は、室内熱交換器（33）と室内膨張弁（34）とを有する。室内熱交換器（33）は、室内ファンが搬送する室内空気と冷媒とを熱交換させる。室内熱交換器（33）は、フィンアンドチューブ式である。室内膨張弁（34）は、冷媒を減圧する減圧機構である。室内膨張弁（34）は、例えば電子膨張弁である。
【００３１】
冷房運転では、四方切換弁（26）が第１状態となり、第１冷凍サイクルが行われる。第１冷凍サイクルでは、圧縮機（23）で圧縮された冷媒は室外熱交換器（24）で放熱し、室内膨張弁（34）で減圧され、室内熱交換器（33）で蒸発する。
【００３２】
第２冷凍サイクルでは、四方切換弁（26）が第２状態となり、第２冷凍サイクルが行われる。圧縮機（23）で圧縮された冷媒は室内熱交換器（33）で放熱し、室外膨張弁（25）で減圧され、室外熱交換器（24）で蒸発する。
【００３３】
〈システム天井〉
図２及び図３に示すように、室内機（30）はシステム天井（C）に適用される。システム天井（C）は、いわゆるラインタイプである。図２に示すように、システム天井（C）は、格子状に配置される複数のバー（B1,B2）と、各バー（B1,B2）の間に嵌め込まれる天井壁（W）とを有する。
【００３４】
複数のバー（B1,B2）は、複数の第１バー（B1）と、複数の第２バー（B2）とを有する。第１バー（B1）は、前後方向に延びている。複数の第１バー（B1）は、互いに平行な状態で左右方向に配列される。第２バー（B2）は、左右方向に延びている。複数の第２バー（B2）は、互いに平行な状態で前後方向に配列される。第１バー（B1）と第２バー（B2）とは互いに直交する。複数の第１バー（B1）及び複数の第２バー（B2）により格子構造が構成される。第１バー（B1）は、縦断面が逆Ｔ字状に形成される。換言すると、第１バー（B1）の下端には、幅方向の両側にそれぞれ突出する凸部（7）が形成される。
【００３５】
システム天井（C）は、吊りボルト、及び固定金具を有する（図示省略）。吊りボルトは、システム天井の上方のスラブに固定される。第１バー（B1）及び第２バー（B2）は、固定金具を介して吊りボルトの下端に支持される。
【００３６】
複数の第１バー（B1）と複数の第２バー（B2）との間には、第１開口（O1）と第２開口（O2）とが形成される。第１開口（O1）の左右の幅は、第２開口の左右の幅よりも小さい。複数の第１バー（B1）は、互いの間隔が比較的狭い一対の第１バー（B1）（ライン用バー（LB））を複数組有している。これらの一対の第１バー（B1）の間に第１開口（O1）が形成される。
【００３７】
各第２開口（O2）には原則として天井壁（W）が嵌め込まれる。同様に、各第１開口（O1）には原則として天井壁（W）が嵌め込まれる。天井壁（W）は、第１バー（B1）と第２バー（B2）の各凸部（7）の上面に設置される。システム天井（C）の天井壁（W）の裏側（上側）には、天井裏空間（6）が形成される。システム天井の天井壁（W）の表側（下側）には、室内空間（5）が形成される。
【００３８】
複数の第１開口（O1）のうちの一部の第１開口（O1）には、照明装置（8）が嵌め込まれる（図３を参照）。照明装置（8）は、第１バー（B1）と第２バー（B2）の各凸部（7）の上面に設置される。照明装置（8）は、一対のライン用バー（LB）に沿って延びる略長方形状に形成される。
【００３９】
複数の第１開口（O1）のうちの一部の第１開口（O1）には、室内機（30）のケーシング（40）（厳密には、ケーシング本体（40a））が嵌め込まれる。ケーシング本体（40a）は、第１バー（B1）と第２バー（B2）の各凸部（7）の上面に設置される。ケーシング本体（40a）は、一対のライン用バー（LB）に沿って延びている。
【００４０】
ライン式のシステム天井（C）では、照明装置（8）及び室内機（30）が、これらの長手方向に直線的に配列される。これにより、天井面の外観がすっきりした印象となる。  
【００４１】
〈室内機の概要〉
室内機（30）について、図２〜図５を参照しながら説明する。室内機（30）は、システム天井（C）の第１開口（O1）に設置される。室内機（30）は、ケーシング（40）と、室内ファン（32）と、室内熱交換器（33）と、ドレンパン（35,36）と、流路形成部材（60）と、フィルタ（71,72）とを備える。
【００４２】
〈ケーシング〉
図４に示すように、ケーシング（40）は、下側が開放されるケーシング本体（40a）と、ケーシング本体（40a）の下側の開放部に設けられる天井パネル（50）とを有する。ケーシング（40）の内部には、空気が流れる空気通路（P）が形成される。ケーシング（40）は、システム天井（C）に沿って延びる横長に形成される。
【００４３】
〈ケーシング本体〉
ケーシング本体（40a）は、天井裏空間（6）に配置される。天井パネル（50）は、天井面を形成するように室内空間（5）に露出する。
【００４４】
ケーシング本体（40a）は、天井に沿って延びる長辺と、該長辺よりも短い短辺とを有する中空の箱形に形成される。具体的には、ケーシング本体（40a）は、第１バー（B1）の長手方向に延びる細長い直方体状に形成される。
【００４５】
ケーシング本体（40a）は、４つの側板（41,42,43,44）と１つの上板（45）とを有する。上板（45）は、ケーシング（40）の上側に位置する。
【００４６】
４つの側板は、第１側板（41）、第２側板（42）、第３側板（43）、及び第４側板（44）で構成される。第１側板（41）は、ケーシング（40）の左側に位置する。第２側板（42）は、ケーシング（40）の右側に位置する。第３側板（43）は、ケーシング（40）の前側に位置する。第４側板（44）は、ケーシング（40）の後側に位置する。第１側板（41）及び第２側板（42）は、ケーシング（40）の長辺に沿った側板である。第１側板（41）と第２側板（42）とは、互いに対向する。第１側板（41）及び第２側板（42）は、第１バー（B1）に沿うように該第１バー（B1）の長手方向に延びている。第３側板（43）及び第４側板（44）は、ケーシング（40）の短辺に沿った側板である。第３側板（43）及び第４側板（44）は、第２バー（B2）に沿うように第２バー（B2）の長手方向に延びている。
【００４７】
図４及び図５に示すように、ケーシング本体（40a）には、第１吸込口（46）と第２吸込口（47）とが形成される。第１吸込口（46）及び第２吸込口（47）には、詳細は後述する通気口（9）及び天井裏空間（6）を通じて、室内空間（5）の室内空気が吸い込まれる。
【００４８】
第１吸込口（46）は第１側板（41）に形成される。第１吸込口（46）は、第１側板（41）の外縁に沿った矩形状に形成される。第１吸込口（46）は第１側板（41）の上端付近から下端付近まで延びている。第１吸込口（46）は第１側板（41）の前端付近から後端付近に亘ってケーシング（40）の長手方向に延びている。
【００４９】
第２吸込口（47）は第２側板（42）に形成される。第２吸込口（47）は、第２側板（42）の外縁に沿った矩形状に形成される。第２吸込口（47）は第２側板（42）の上端付近から下端付近まで延びている。第２吸込口（47）は第２側板（42）の前端付近から後端付近に亘ってケーシング（40）の長手方向に延びている。
【００５０】
〈天井パネル〉
図４及び図５に示すように、天井パネル（50）は、ケーシング（40）の下面を構成している。天井パネル（50）は、室内空間（5）に露出する。天井パネル（50）は、細長い矩形状に形成される。天井パネル（50）は、ライン用バー（LB）に沿う方向に延びている。
【００５１】
天井パネル（50）には、第１吹出口（51）と第２吹出口（52）とが形成される。第１吹出口（51）及び第２吹出口（52）は、ケーシング（40）内の空気を室内に供給する。第１吹出口（51）と第２吹出口（52）とは、天井パネル（50）の長手方向に延びている。第１吹出口（51）と第２吹出口（52）とは互いに平行に隣接して配置される。
【００５２】
第１吹出口（51）及び第２吹出口（52）には、それぞれ風向調節板（53）が設けられる。風向調節板（53）は、各吹出口（51,52）に沿って該吹出口（51,52）の長手方向に延びている。各風向調節板（53）は、モータ（図示省略）によって角度が調節される。風向調節板（53）は、吹出口（51,52）を閉じる位置と、開放する位置とに角度が調節される。風向調節板（53）は、吹出口（51,52）から吹き出される気流の向きを調節する。
【００５３】
天井パネル（50）には、第１スリット（54）と第２スリット（55）とが形成される。第１スリット（54）は、天井パネル（50）の左側縁と第１スリット（54）との間に形成される。第２スリット（55）は、天井パネル（50）の右側縁と第２スリット（55）との間に形成される。第１スリット（54）及び第２スリット（55）は、天井パネル（50）の長手方向に延びている。第１スリット（54）及び第２スリット（55）には、対応するフィルタ（71,72）の引出部（71b,72b）が嵌合する。
【００５４】
〈室内ファン〉
室内ファン（32）は、空気を搬送する送風機である。本例の室内ファン（32）は、クロスフローファン（横流ファンともいう）で構成される。室内ファン（32）は、ケーシング（40）の幅方向（左右方向）の中間部に配置される。室内ファン（32）は、ケーシング（40）の高さ方向の中間部に配置される。
【００５５】
室内ファン（32）は、ケーシング（40）の長手方向に延びている。換言すると、室内ファン（32）の回転軸は、ケーシング（40）、ないしライン用バー（LB）の長手方向に延びている。クロスフローファン（32）は、細長い形状をしているため、ケーシング（40）を細長くしても、デッドボリュームが少なくなる。
【００５６】
〈室外熱交換器〉
室外熱交換器（24）は、ケーシング（40）の内部に配置される。室外熱交換器（24）は、第１熱交換部（33A）と第２熱交換部（33B）とを有する。第１熱交換部（33A）は、第１側板（41）寄りに配置される。第１熱交換部（33A）は、第１吸込口（46）に対応する位置に配置される。第２熱交換部（33B）は、第２側板（42）寄りに配置される。第２熱交換部（33B）は、第２吸込口（47）に対応する位置に配置される。
【００５７】
第１熱交換部（33A）及び第２熱交換部（33B）は、多数のフィン（F）と、各フィン（F）を貫通する伝熱管（図示省略）とを有する。多数のフィン（F）は、ケーシング（40）ないし室内ファン（32）の長手方向に配列される。
【００５８】
第１熱交換部（33A）及び第２熱交換部（33B）は、鉛直方向よりやや傾斜している。具体的には、第１熱交換部（33A）は、その上部がケーシング（40）の幅方向の中間部に寄るように、斜めに傾斜している。第２熱交換部（33B）は、その上部がケーシング（40）の幅方向の中間部に寄るように、斜めに傾斜している。換言すると、第１熱交換部（33A）及び第２熱交換部（33B）は、下方に向かうにつれて互いに間隔が広がるように傾斜して配置される。これにより、第１熱交換部（33A）の下部と、第２熱交換部（33B）の下部との間には、幅方向の間隔が比較的広いスペースが形成される。室内ファン（32）は、このスペースに配置される。
【００５９】
〈ドレンパン〉
ケーシング（40）の内部には、第１ドレンパン（35）及び第２ドレンパン（36）が配置される。第１ドレンパン（35）は、第１熱交換部（33A）の下方に配置される。第１ドレンパン（35）は、第１熱交換部（33A）の周囲で発生した凝縮水を受けるトレーである。第２ドレンパン（36）は、第２熱交換部（33B）の周囲で発生した凝縮水を受けるトレーである。第１ドレンパン（35）は、第１側板（41）に沿うようにケーシング（40）の長手方向に延びている。第２ドレンパン（36）は、第２側板（42）に沿うようにケーシング（40）の長手方向に延びている。
【００６０】
〈流路形成部材〉
流路形成部材（60）は、室内ファン（32）の下方に配置される。流路形成部材（60）は、室内ファン（32）の下部を覆う主流路（61）と、該主通路（61）の下部から左右に分岐する２つの分流路（62,63）とを形成している。流路形成部材（60）はケーシング（40）の長手方向に延びている。２つの分流路（62,63）は、第１吹出口（51）に接続する第１分流路（62）と、第２吹出口（52）に接続する第２分流路（63）とを含む。
【００６１】
〈フィルタ〉
ケーシング（40）の内部には、第１フィルタ（71）と第２フィルタ（72）とが配置される。各フィルタ（71,72）は、板状ないしシート状に形成される。第１フィルタ（71）及び第２フィルタ（72）は、空気通路（P）における室内熱交換器（33）の上流側に配置される。第１フィルタ（71）及び第２フィルタ（72）は、空気中の塵埃を捕集する。
【００６２】
第１フィルタ（71）は、第１吸込口（46）を覆うように第１吸込口（46）の奥側に配置される。第１フィルタ（71）は、上板（45）から天井パネル（50）に亘って上下に延びている。第１フィルタ（71）は、上下に立設する状態でケーシング（40）に取り付けられる。第１フィルタ（71）は、第１吸込口（46）を覆う第１フィルタ本体（71a）と、該第１フィルタ本体（71a）の下端に接続する第１引出部（71b）とを有する。第１フィルタ（71）の取り付け状態では、第１引出部（71b）が第１スリット（54）から下方に突出する。第１引出部（71b）には、作業者やユーザが第１フィルタ（71）を引き出すための取手（73）が設けられる。
【００６３】
同様に、第２フィルタ（72）は、第２吸込口（47）を覆うように第２吸込口（47）の奥側に配置される。第２フィルタ（72）は、上板（45）から天井パネル（50）に亘って上下に延びている。第２フィルタ（72）は、上下に立設する状態でケーシング（40）に取り付けられる。第２フィルタ（72）は、第２吸込口（47）を覆う第２フィルタ本体（72a）と、該第２フィルタ本体（72a）の下端に接続する第２引出部（72b）とを有する。第２フィルタ（72）の取り付け状態では、第２引出部（72b）が第２スリット（55）から下方に突出する。第２引出部（72b）には、作業者やユーザが第２フィルタ（72）を引き出すための取手（73）が設けられる。
【００６４】
〈通気口〉
図６に模式的に示すように、システム天井（C）には、室内空間（5）と天井裏空間（6）とを連通させる通気口（9）が設けられる。室内機（30）の吸込口（46,47）は、通気口（9）及び天井裏空間（6）を介して、室内空間（5）と連通する。吸込口（46,47）は、実質的には室内空間（5）の室内空気を吸い込むように構成される。
【００６５】
−運転動作−
空気調和装置（10）の運転動作について説明する。空気調和装置（10）は、冷房運転と暖房運転とを切り換えて行う。以下には、冷房運転を代表に説明する。
【００６６】
冷房運転では、室外ファン（22）、室内ファン（32）、圧縮機（23）が運転される。これにより、上述した第１冷凍サイクルが行われる。室内ファン（32）が運転状態になると、室内空間（5）の室内空気は、通気口（9）から天井裏空間（6）に吸い込まれる。天井裏空間（6）の空気は、第１吸込口（46）及び第２吸込口（47）からケーシング（40）内の空気通路（P）に吸い込まれる。
【００６７】
第１吸込口（46）から吸い込まれた空気は、第１フィルタ（71）を通過する。第１フィルタ（71）では、空気中の塵埃が捕集される。第１フィルタ（71）を通過した空気は、第１熱交換部（33A）で冷却される。第２吸込口（47）から吸い込まれた空気は、第２フィルタ（72）を通過する。第２フィルタ（72）では、空気中の塵埃が捕集される。第２フィルタ（72）を通過した空気は、第２熱交換部（33B）で冷却される。
【００６８】
室内熱交換器（33）で冷却された空気は、主通路（61）を流れ、第１分流路（62）と第２分流路（63）とに分流する。第１分流路（62）の空気は、第１吹出口（51）から室内空間（5）へ供給される。第２分流路（63）の空気は、第２吹出口（52）から室内空間（5）へ供給される。
【００６９】
暖房運転では、上述した第２冷凍サイクルが行われる。暖房運転の動作は、室内熱交換器（33）で空気が加熱される点を除くと、基本的には冷房運転と同じである。
【００７０】
〈室内機の部品のレイアウト〉
図４に示すように、室内機（30）では、吹出口（51,52）、室内ファン（32）、及び室内熱交換器（33）の各々の少なくとも一部が、互いに上下方向に重なっている。具体的には、本例では、第１熱交換部（33A）の上部と室内ファン（32）の左側部分と第１吹出口（51）とが上下方向に重なる。第２熱交換部（33B）の上部と室内ファン（32）の右側部分と第２吸込口（47）とが上下方向に重なる。このように、室内ファン（32）、室内熱交換器（33）、及び吹出口（51,52）を上下に積層するように配置すると、ケーシング（40）を水平方向に縮小できる。これにより、室内空間（5）に露出する天井パネル（50）の面積を小さくできる。
【００７１】
加えて、本例の天井パネル（50）には、吸込口（46,47）が形成されていない。このため、吸込口が形成される天井パネル（50）と比べて、天井パネル（50）の面積を小さくできる。
【００７２】
本例では、ケーシング（40）を前後の長さを大きくし、左右の幅を小さくしている。このため、図３に示すように、室内機（30）を照明装置（8）とともに一対のライン用バー（LB）の間に配置することができる。これにより、室内機（30）及び照明装置（8）を、これらの長手方向に直線的に配列できる。よって、すっきりした印象の天井面を形成できる。
【００７３】
天井パネル（50）の左右の長さをＬ１、前後の長さをＬ２とすると、天井パネル（50）のアスペクト比Ａは、Ｌ２／Ｌ１となる。アスペクト比Ａは、１．２５以上であることが好ましく、３．０以上であることがより好ましく、４．０以上であることがさらに好ましい。
【００７４】
天井パネル（50）の下面の吹出口（51,52）を含む総面積をＳ１、吹出口（51,52）の総開口面積をＳ２とする。本例の総開口面積Ｓ２は、厳密にいうと、第１吹出口（51）の開口面積と、第２吹出口（52）の開口面積の合計である。総開口面積Ｓ２は、総面積Ｓ１の２０％以上であることが好ましい。総開口面積を２０％以上とすることで、吹出空気の流量を十分に確保できる。
【００７５】
〈フィルタの挿抜作業〉
作業者やユーザなどの在室者は、室内空間（5）からフィルタ（71,72）の取り外し、及び取り付けの作業を行う。
【００７６】
フィルタ（71,72）の取り外し作業では、在室者がフィルタ（71,72）の引出部（71b,72b）の取手（73）を掴み、引出部（71b,72b）を下方に引っ張る。すると、フィルタ（71,72）は、スリット（54,55）を通じて下方へ移動する（図7を参照）。これにより、天井パネル（50）をケーシング本体（40a）から外すことなく、フィルタ（71,72）をケーシング（40）の外部へ取り出すことができる。
【００７７】
フィルタ（71,72）の取り付け作業では、在室者が引出部（71b,72）の取手（73）を掴み、フィルタ（71,72）の上端をスリット（54,55）に挿入する。この状態で、フィルタ（71,72）を上方へ押し上げる。これにより、天井パネル（50）をケーシング本体（40a）から外すことなく、フィルタ（71,72）をケーシング（40）の内部へ取り付けることができる。
【００７８】
−実施形態の効果−
実施形態は、ケーシング（40）と、ケーシング（40）の内部に配置される室内ファン（32）及び室内熱交換器（33）とを備えた空気調和装置（10）用の天井埋込型の室内機（30）である。ケーシング（40）は、システム天井（C）の天井裏空間（6）に配置され下側が開放されるケーシング本体（40a）と、ケーシング本体（40a）の下側の開放部に設けられ、空調対象空間（5）に露出するパネル（50）とを備える。天井パネル（50）には、室内空間（5）に空気を供給する吹出口（51,52）が形成される。ケーシング本体（40a）には、室内空間（5）の空気が吸い込まれる吸込口（46,47）が形成される。吹出口（51,52）、室内ファン（32）、及び室内熱交換器（33）の各々の少なくとも一部が、互いに上下方向に重なっている。
【００７９】
この形態では、吹出口（51,52）、室内ファン、及び室内熱交換器（33）の各々の少なくとも一部が、互いに上下方向に重なるため、ケーシング（40）を水平方向に縮小できる。これにより、室内空間（5）に面する天井パネル（50）の面積も小さくできる。
【００８０】
この形態では、天井パネル（50）に吸込口（46,47）が形成されず、吸込口（46,47）がケーシング本体（40a）に形成される。このため、天井パネル（50）に吸込口（46,47）を形成する構成と比べて、天井パネル（50）の面積を小さくできる。加えて、吹出口（51,52）から吹き出された空気が、吸込口（46,47）に直ぐに吸い込まれる、いわゆるショートサーキットを回避できる。
【００８１】
実施形態では、ケーシング（40）は、システム天井（C）に沿った方向に延びる長辺と、該長辺よりも短い短辺を有する。
【００８２】
この形態では、ケーシング（40）がシステム天井（C）に沿って延びる直方体状に形成されるため、ライン式のシステム天井（C）にケーシング（40）を採用できる。具体的には、細長い一対のライン用バー（LB）の間に、照明装置（8）とともに室内機（30）を設置し、これらを直線状に配列する（図３を参照）。これにより、天井面がすっきりした印象となり、在室者の快適性を向上できる。
【００８３】
実施形態では、天井パネル（50）の下面の吹出口（51,52）を含む総面積をＳ１、吹出口（51,52）の総開口面積をＳ２とすると、総開口面積Ｓ２は、総面積Ｓ１の２０％以上である。
【００８４】
この形態では、天井パネル（50）の面積を小さくしながら吹出口（51,52）の総開口面積Ｓ２を比較的大きく確保できる。吹出空気の流量を十分に確保でき、吹出空気の圧力損失を低減できる。天井パネル（50）には吸込口が存在しないため、このように吹出口（51,52）の開口面積を大きくしても、いわゆるショートサーキットが生じることはない。
【００８５】
実施形態では、吸込口（46,47）は、ケーシング本体（40a）の少なくとも１つの側板（41,42）に形成される。
【００８６】
この形態では、比較的面積が広い側板（41,42）に吸込口（46,47）を形成することで、吸込口（46,47）の面積を十分に確保できる。ケーシング本体（40a）の上面に吸込口（46,47）を形成すると、天井裏空間（6）の高さ（スラブなど）の制約により、空気を十分に吸い込めない可能性がある。本形態では、このような制約を受けることもない。
【００８７】
実施形態では、吸込口（46,47）は、ケーシング本体（40a）の、互いに対向する２つの側板（41,42）にそれぞれに形成される。
【００８８】
この形態では、吸込口（46,47）の面積をさらに増大できる。
【００８９】
実施形態では、室内熱交換器（33）は、ケーシング本体（40a）の第１側板（41）寄りに配置される第１熱交換部（33A）と、ケーシング本体（40a）の第１側板（41）に対向する第２側板（42）寄りに配置される第２熱交換部（33B）とを有する。第１熱交換部（33A）及び第２熱交換部（33B）は、下方に向かうにつれて互いの間隔が広がるようにそれぞれ傾斜して配置される。
【００９０】
この形態では、第１側板（41）の吸込口（46,47）から吸い込んだ空気を第１熱交換部（33A）に通過させると同時に、第２側板（42）の吸込口（46,47）から吸い込んだ空気を第２熱交換部（33B）に通過させることができる。第１熱交換部（33A）及び第２熱交換部（33B）は、鉛直に対して傾斜しているため、各熱交換部（33A,33B）の伝熱面積を増大できる。加えて、各熱交換部（33A,33B）を横置きとする場合と比較して、ケーシング（40）を水平方向に小さくできる。
【００９１】
実施形態では、室内ファン（32）は、ケーシング（40）の長手方向に延びるクロスフローファンである。
【００９２】
細長のケーシング（40）に沿うようにクロスフローファンを配置することで、デッドスペースを低減でき、ケーシング（40）の左右の幅を小さくできる。ケーシング（40）が水平に細長くなるため、ライン式のシステム天井（C）に適合できる。
【００９３】
実施形態では、ケーシング（40）は、システム天井（C）に沿って延びる長辺と、該長年よりも短い短辺とを有する。ケーシング本体（40a）は、該ケーシング本体（40a）の長辺に沿った第１側板（41）と、第１側板（41）に対向する第２側板（42）とを有する。吸込口（46,47）は、第１側板（41）及び第２側板（42）にそれぞれ形成される。室内熱交換器（33）は、ケーシング本体（40a）の第１側板（41）寄りに配置される第１熱交換部（33A）と、ケーシング本体（40a）の第１の側板（41）に対向する第２側板（42）寄りに配置される第２熱交換部（33B）とを有する。第１熱交換部（33A）及び前記第２熱交換部（33B）は、下方に向かうにつれて互いの間隔が広がるようにそれぞれ傾斜して配置される。室内ファン（32）は、ケーシング（40）の長手方向に延びるクロスフローファンである。クロスフローファン（32）は、第１熱交換部（33A）の下部と第２熱交換部（33B）の下部の間に配置される。
【００９４】
この形態では、第１熱交換部（33A）と第２熱交換部（33B）との下部の間のスペースに、横長の室内ファン（32）を配置できる。これにより、ケーシング（40）内のデッドスペースを削減できる。このスペースに室内ファン（32）を配置することで、ケーシング（40）の高さも低減できる。
【００９５】
実施形態では、吸込口（46,47）に吸い込まれる空気中の塵埃を補足するフィルタ（71,72）を備える。天井パネル（50）には、フィルタ（71,72）をケーシング（40）の外部に引き出すスリット（54,55）が形成される。
【００９６】
この形態では、天井パネル（50）をケーシング本体（40a）から外すことなく、室内空間（5）からフィルタ（71,72）の挿抜作業を容易に行うことができる。
【００９７】
《実施形態の変形例》
上記実施形態については以下のような変形例の構成としてもよい。
【００９８】
〈変形例１〉
図８に示す変形例１の空気調和装置（10）は、第１ダクト（D1）と第２ダクト（D2）とを有する。本例では、システム天井（C）に第１通気口（9a）と第２通気口（9b）とが設けられる。第１ダクト（D1）の流入端は第１通気口（9a）に接続する。第１ダクト（D1）の流出端は第１吸込口（46）に接続する。第２ダクト（D2）の流入端は第２通気口（9b）に接続する第２ダクト（D2）の流出端は第２吸込口（47）に接続する。室内機（30）の基本的な構成は、上記実施形態と同様である。
【００９９】
変形例１において、室内ファン（32）が運転されると、室内空間（5）の室内空気は、第１吸込口（46）を介して第１ダクト（D1）に吸い込まれる。第１ダクト（D1）の空気は、第１吸込口（46）から室内機（30）の空気通路（P）に流入する。第２ダクト（D2）の空気は、第２吸込口（47）から室内機（30）の空気通路（P）に流入する。空気通路（P）の空気は、室内熱交換器（33）で冷却又は加熱された後、吹出口（51,52）から室内空間（5）へ供給される。
【０１００】
〈変形例２〉
図９に示す変形例２のケーシング（40）内には、室内ファン（32）と、室内熱交換器（33）と、吹出口（51,52）とが上下方向に重なるように配置される。変形例２の室内ファン（32）は、シロッコファンである。室内熱交換器（33）は、フィンの長手方向が水平方向となる横置き式である。変形例２においても、室内ファン（32）、室内熱交換器（33）、及び吹出口（51,52）を上下方向に重ねて配置することで、ケーシング（40）を水平方向に小型できる。この結果、天井パネル（50）の面積を小さくできる。室内熱交換器（33）を斜め置きとしてもよい。
【０１０１】
《その他の実施形態》
上記実施形態及び各変形例については、以下の構成としてもよい。
【０１０２】
空気調和装置（10）は、１つの室外機（20）と１つの室内機（30）とを有する、いわゆるペア式であってもよい。
【０１０３】
天井パネル（50）は、必ずしも長方形でなくてもよく、例えば正方形であってもよい。
【０１０４】
吸込口（46,47）をケーシング本体（40a）の上板（45）に形成してもよい。
【０１０５】
室内機（30）は、室外空気を吸込口（46,47）に吸込み、吸い込んだ空気の温度を調節して空調対象空間（室内空間（5））へ供給するものであってもよい。この場合、室外空気をダクトを介して吸込口（46,47）に直接的に吸い込んでもよいし、室外空気を天井裏空間（6）を介してして吸込口（46,47）に間接的に吸い込んでもよい。
【０１０６】
室内機（30）は、必ずしもライン式の天井パネル（50）に適用されなくてもよい。
【０１０７】
以上、実施形態よび変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１０８】
以上説明したように、本開示は、室内機、及び空気調和装置について有用である。
【符号の説明】
【０１０９】
５      室内空間（空調対象空間）
６      天井裏空間（裏側空間）
１０      空気調和装置
２０      室外機
３０      室内機
３２      室内ファン（送風機、クロスフローファン、シロッコファン）
３３      熱交換器
３３Ａ    第１熱交換部
３３Ｂ    第２熱交換部
４０      ケーシング
４０ａ    ケーシング本体Ｐ６
４１      第１側板
４２      第２側板
４６      第１吸込口
４７      第２吸込句
５０      パネル
５１      第１吹出口
５２      第２吹出口
５４      第１スリット
５５      第２スリット
７１      第１フィルタ
７２      第２フィルタ
【図１】
2020204421.tif 000003
【図２】
2020204421.tif 000004
【図３】
2020204421.tif 000005
【図４】
2020204421.tif 000006
【図５】
2020204421.tif 000007
【図６】
2020204421.tif 000008
【図７】
2020204421.tif 000009
【図８】
2020204421.tif 000010
【図９】
2020204421.tif 000011